(57)【要約】【課題】    高級感のある良好な巻き上げ音を得ることができるぜんまい装置、およびこれを備えた時計を提供すること。【解決手段】ぜんまい装置１０の逆回転防止機構４０を、角穴車４の歯形４ｅに係合するピン４２と、このピン４２を進退自在に支持し歯形４ｅに対して付勢する支持部材４１と、この支持部材４１が当接する当接部材４３とを備えて構成したので、ぜんまい巻き上げ時に支持部材４１が当接部材４３に当接して巻き上げ音が発生する。この巻き上げ音の大きさや音色等は、支持部材４１や当接部材４３の材質や、大きさ、剛性等の設定により調整することができるので、手動によるぜんまいの巻き上げ時において、高級感のある良好な巻き上げ音を得ることができる。【選択図】  図４
2005156304.tif 000002
【特許請求の範囲】
【請求項１】
ぜんまい、このぜんまいの一端が接続された香箱歯車、および前記ぜんまいの他端が固定された香箱真を有した香箱車と、前記香箱真に連結された角穴車とを備えたぜんまい装置であって、
前記角穴車には、前記ぜんまいを手動で巻き上げるための手動巻き上げ機構と、前記ぜんまいの巻き戻りを抑制する逆回転防止機構とが接続されており、
前記逆回転防止機構は、前記角穴車の歯形に係合する係合部材と、この係合部材を進退自在に支持し、かつ前記歯形に向かって付勢する支持部材と、前記手動巻き上げ機構の動作による前記角穴車の回転に連動して前記支持部材が当接する当接部材とを備えて構成されていることを特徴とするぜんまい装置。
【請求項２】
ぜんまい、このぜんまいの一端が接続された香箱歯車、および前記ぜんまいの他端が固定された香箱真を有した香箱車と、前記香箱真に連結された第１および第２の角穴車とを備えたぜんまい装置であって、
前記第１角穴車には、前記ぜんまいを手動で巻き上げるための手動巻き上げ機構が接続され、
前記第２角穴車には、前記ぜんまいの巻き戻りを抑制する逆回転防止機構が接続されており、
前記逆回転防止機構は、前記第２角穴車の歯形に係合する係合部材と、この係合部材を進退自在に支持し、かつ前記歯形に向かって付勢する支持部材と、前記手動巻き上げ機構の動作による前記第２角穴車の回転に連動して前記支持部材が当接する当接部材とを備えて構成されていることを特徴とするぜんまい装置。
【請求項３】
請求項２に記載のぜんまい装置において、
前記第１角穴車と第２角穴車とは、前記香箱車を挟んで対向していることを特徴とするぜんまい装置。
【請求項４】
請求項１から請求項３のいずれかに記載のぜんまい装置において、
前記逆回転防止機構は、前記香箱車を挟んで地板の反対側に設けられていることを特徴とするぜんまい装置。
【請求項５】
請求項１から請求項４のいずれかに記載のぜんまい装置において、
前記逆回転防止機構は、複数設けられていることを特徴とするぜんまい装置。
【請求項６】
請求項１から請求項５のいずれかに記載のぜんまい装置において、
前記逆回転防止機構の支持部材は、板ばねから形成されていることを特徴とするぜんまい装置。
【請求項７】
請求項６に記載のぜんまい装置において、
前記支持部材は、基端部が地板に固定されており、この基端部から片持ち状に延出した途中位置に前記係合部材が設けられるとともに、先端部が前記当接部材に当接可能に構成されていることを特徴とするぜんまい装置。
【請求項８】
請求項１から請求項７のいずれかに記載のぜんまい装置と、このぜんまい装置を構成する香箱歯車に接続された輪列と、この輪列に結合された指針とを備え、
前記ぜんまい装置を構成するぜんまいの機械エネルギにより前記輪列が駆動されることを特徴とする時計。
【請求項９】
請求項８に記載の時計において、
てんぷを備えた機械式時計であることを特徴とする時計。
【請求項１０】
請求項８に記載の時計において、
前記輪列を介して伝達される前記ぜんまいの機械エネルギを電気エネルギに変換する発電機と、変換された電気エネルギにより駆動されて前記発電機の回転周期を制御する回転制御手段と、を備えた電子制御式機械時計であることを特徴とする時計。
【請求項１１】
請求項８から請求項１０のいずれかに記載の時計において、
前記ぜんまい装置を収容するケースと、このケースを密閉する裏蓋とを備えており、
前記裏蓋の内側面には凹凸が形成されていることを特徴とする時計。
【請求項１２】
請求項８から請求項１０のいずれかに記載の時計において、
前記ぜんまい装置を収容するケースと、このケースを密閉する裏蓋とを備えており、
前記裏蓋は、シースルーであることを特徴とする時計。
【発明の詳細な説明】
【技術分野】
【０００１】
本発明は、ぜんまい装置、およびこれを備えた時計に関する。例えば、手巻き式や、手巻き式と自動巻式を併用して巻き上げられるぜんまいと、調速のためのてんぷとを有した機械式時計や、そのようなぜんまいが解ける時に出力される機械エネルギを発電機で電気エネルギに変換し、その電気エネルギで回転制御手段を作動させて発電機の回転周期を制御することにより調速される電子制御式機械時計に利用できる。
【背景技術】
【０００２】
従来より、ぜんまいの機械エネルギを利用して指針を運針させる機械式時計が知られている。また、近年では、ぜんまいが解放する時の機械エネルギを発電機で電気エネルギに変換し、その電気エネルギにより回転制御手段を作動させて発電機のコイルに流れる電流値を制御することにより、輪列に固定される指針を正確に運針させて正確に時刻を表示する電子制御式機械時計（例えば、特許文献１参照）も多く用いられている。
【０００３】
また、機械式時計や電子制御式機械時計において、手動でぜんまいを巻き上げる際の違和感を低減させるための巻き上げ機構が提案されている（例えば、特許文献２参照）。
特許文献２に記載された巻き上げ機構は、自動巻き上げ機構と手動巻き上げ機構とを備え、手動巻き上げ機構の巻真の回転が自動巻き上げ機構の巻き上げ輪列に伝達され、その後に送り部材および伝え車を介して角穴車に伝達されることで、送り部材から手動巻き上げ機構に伝わる衝撃が緩和され、手動でぜんまいを巻き上げる際の違和感を低減できるようになっている。
【０００４】
【特許文献１】特開平８−５７５８号公報
【特許文献２】特開２００３−２７９６６５号公報
【発明の開示】
【発明が解決しようとする課題】
【０００５】
しかしながら、特許文献１、２の時計では、いずれも角穴車に係合するこはぜによって角穴車および香箱真の逆回転が防止されているため、手動によるぜんまいの巻き上げの際に、こはぜと角穴車との接触音が聞こえるのみで、良好な巻き上げ音が得られないという問題がある。
すなわち、こはぜによって角穴車の逆回転を防止した場合には、こはぜと角穴車の歯形との噛み合い部分の接触音、具体的にはジリジリという音しか聞こえず、さらにこはぜや角穴車は剛体なので、接触音の大きさや音色等を調整することができないため、高級感に乏しい巻き上げ音となってしまう。
【０００６】
本発明の目的は、高級感のある良好な巻き上げ音を得ることができるぜんまい装置、およびこれを備えた時計を提供することにある。
【課題を解決するための手段】
【０００７】
本発明のぜんまい装置は、ぜんまい、このぜんまいの一端が接続された香箱歯車、および前記ぜんまいの他端が固定された香箱真を有した香箱車と、前記香箱真に連結された角穴車とを備えたぜんまい装置であって、前記角穴車には、前記ぜんまいを手動で巻き上げるための手動巻き上げ機構と、前記ぜんまいの巻き戻りを抑制する逆回転防止機構とが接続されており、前記逆回転防止機構は、前記角穴車の歯形に係合する係合部材と、この係合部材を進退自在に支持し、かつ前記歯形に向かって付勢する支持部材と、前記手動巻き上げ機構の動作による前記角穴車の回転に連動して前記支持部材が当接する当接部材とを備えて構成されていることを特徴とする。
【０００８】
また、本発明のぜんまい装置は、ぜんまい、このぜんまいの一端が接続された香箱歯車、および前記ぜんまいの他端が固定された香箱真を有した香箱車と、前記香箱真に連結された第１および第２の角穴車とを備えたぜんまい装置であって、前記第１角穴車には、前記ぜんまいを手動で巻き上げるための手動巻き上げ機構が接続され、前記第２角穴車には、前記ぜんまいの巻き戻りを抑制する逆回転防止機構が接続されており、前記逆回転防止機構は、前記第２角穴車の歯形に係合する係合部材と、この係合部材を進退自在に支持し、かつ前記歯形に向かって付勢する支持部材と、前記手動巻き上げ機構の動作による前記第２角穴車の回転に連動して前記支持部材が当接する当接部材とを備えて構成されていてもよい。
【０００９】
このような本発明によれば、ぜんまいを手動で巻き上げる際に、角穴車（または第２角穴車）の回転に連動し、逆回転防止機構の係合部材および支持部材が角穴車に対して進退移動して、支持部材が当接部材に当接することで、巻き上げ音が発生する。そして、この巻き上げ音の大きさや音色等は、支持部材や当接部材の材質や、大きさ、弾性等に依存するため、適切な支持部材や当接部材を選択することで、巻き上げ音を調整することができる。従って、手動によるぜんまいの巻き上げ時において、高級感のある良好な巻き上げ音を得ることができる。
【００１０】
また、本発明のぜんまい装置において、第１および第２の角穴車を備えた場合には、前記第１角穴車と第２角穴車とは、前記香箱車を挟んで対向していることが好ましい。
このような構成によれば、第１および第２の角穴車が香箱車を挟んで互いに反対側に配置され、香箱車の一方側に並べて配置されないので、第１角穴車に接続される手動巻き上げ機構と、第２角穴車に接続される逆回転防止機構とが干渉することなく、装置レイアウトを整然としたものにできるとともに、装置の組立性を向上させることができる。
【００１１】
また、本発明のぜんまい装置では、前記逆回転防止機構は、前記香箱車を挟んで地板の反対側に設けられていることが好ましい。
このような構成によれば、逆回転防止機構を構成するピン、支持部材、および当接部材が香箱車を挟んで地板の反対側（時計などに用いた場合の裏蓋側）に配置されるので、香箱車を地板に組み込んだ後に逆回転防止機構を組み込むことができ、装置の組立性を良好にすることができる。
また、ぜんまい装置を時計等の機器に用いた場合には、逆回転防止機構と裏蓋との間に形成された空間内に巻き上げ音が反響し、より高級感のある巻き上げ音を得ることができる。
【００１２】
また、本発明のぜんまい装置では、前記逆回転防止機構は、複数設けられていることが好ましい。
このような構成によれば、逆回転防止機構を複数設けたことで、より大きな巻き上げ音を得ることができるとともに、各々の逆回転防止機構から異なる音色の当接音が発するようにすれば、複数音色から構成された奥行き感のある巻き上げ音を得ることができ、さらに高級感を向上させることができる。
【００１３】
さらに、本発明のぜんまい装置では、前記逆回転防止機構の支持部材は、板ばねから形成されていることが好ましい。
このような構成によれば、支持部材自体が板ばねから形成されて弾性を有しているので、係合部材および支持部材を角穴車（または第２角穴車）に向かって付勢するための弾性部材を別途用意する必要がなく、部品点数を削減でき、装置を小型化することができることができる。
【００１４】
この際、本発明のぜんまい装置では、前記支持部材は、基端部が地板に固定されており、この基端部から片持ち状に延出した途中位置に前記係合部材が設けられるとともに、先端部が前記当接部材に当接可能に構成されていることが好ましい。
このような構成によれば、片持ち状の板ばねからなる支持部材の先端部を当接部材に当接させることで、大きな巻き上げ音を発生させることができるので、支持部材を小型化でき、装置の小型化および低コスト化を促進することができる。
【００１５】
一方、本発明の時計は、前記いずれかのぜんまい装置と、このぜんまい装置を構成する香箱歯車に接続された輪列と、この輪列に結合された指針とを備え、前記ぜんまい装置を構成するぜんまいの機械エネルギにより前記輪列が駆動されることを特徴とする。
このような構成によれば、前述と同様の作用効果を有した時計を構成することができる。
【００１６】
この際、本発明の時計は、てんぷを備えた機械式時計であることが好ましい。
このような構成によれば、ぜんまい巻き上げ時に、高級感のある良好な巻き上げ音が発生する機械式時計を構成することができる。
【００１７】
また、本発明の時計は、前記輪列を介して伝達される前記ぜんまいの機械エネルギを電気エネルギに変換する発電機と、変換された電気エネルギにより駆動されて前記発電機の回転周期を制御する回転制御手段と、を備えた電子制御式機械時計であってもよい。
このような構成によれば、ぜんまい巻き上げ時に、高級感のある良好な巻き上げ音が発生するとともに、誤差が小さく正確な運針が実現可能な電子制御式機械時計を構成することができる。
【００１８】
さらに、本発明の時計は、前記ぜんまい装置を収容するケースと、このケースを密閉する裏蓋とを備えており、前記裏蓋の内側面には凹凸が形成されていることが好ましい。
このような構成によれば、裏蓋の内側面の凹凸によって巻き上げ音が反響することで、より高級感のある巻き上げ音を得ることができる。
【００１９】
また、本発明の時計は、前記ぜんまい装置を収容するケースと、このケースを密閉する裏蓋とを備えており、前記裏蓋は、シースルーであることが好ましい。
このような構成によれば、シースルーの裏蓋を通して内部の香箱車や角穴車、逆回転防止機構等が視認可能なので、巻き上げ時の各部の動作を確認でき、より一層高級感を向上させることができる。
【発明の効果】
【００２０】
以上の本発明によれば、高級感のある良好な巻き上げ音を得ることができるぜんまい装置、およびこれを備えた時計を提供することができる。
【発明を実施するための最良の形態】
【００２１】
以下、本発明の実施形態を図面に基づいて説明する。
図１は、本発明に係るぜんまい装置を備えた電子制御式機械時計の概略を示す平面図、図２は、その要部の断面図である。
電子制御式機械時計は、香箱車１を備えている。香箱車１は、ぜんまい１ａと、香箱歯車１ｂと、香箱真１ｃと、香箱蓋１ｄとを備えている。ぜんまい１ａは、外端が香箱歯車１ｂに接続され、内端が香箱真１ｃに固定されて、香箱車１に収容されている。香箱真１ｃは、地板２に軸支され、香箱歯車１ｂに対して相対回転可能になっている。すなわち、香箱歯車１ｂに対して香箱真１ｃを回転させることでぜんまい１ａが巻き上げられ、巻き上げられたぜんまい１ａがほどけることで香箱歯車１ｂが回転駆動されるようになっている。
【００２２】
香箱真１ｃの一端側である地板２側には、第１角穴車３が固定されている。また、香箱真１ｃの他端側である裏蓋側、つまり香箱車１を挟んで地板２の反対側には、第２角穴車４が設けられている。
第１角穴車３には、図示しない竜頭、巻真３１、つづみ車３２、きち車３３、丸穴車３４、および角穴中間車３５を有して構成された手動巻き上げ機構３０が接続されている。また、第２角穴車４には、当該第２角穴車４を一方方向に回転させて逆方向への回転を規制する逆回転防止機構４０が接続されている。そして、竜頭を回転操作することにより、手動巻き上げ機構３０を介して第１角穴車３が回転され、前記香箱真１ｃを巻き上げ方向（本実施形態では時計方向）に回転させて、ぜんまい１ａが巻き上げられるようになっている。
なお、本実施形態においては説明を省略するが、電子制御式機械時計は、手動巻き上げ機構３０に併せて、回転錘や自動巻き上げ輪列を有して構成され、第１角穴車３に接続される自動巻き上げ機構を備えていてもよい。
【００２３】
また、電子制御式機械時計において、香箱歯車１ｂの回転は、二番車５、三番車６、四番車７および図示しない秒針車、五番車８、六番車９からなる輪列を介して増速されて、発電機２０のローター２１へと伝達される。そして、秒針車には秒針が固定され、二番車６には筒かなを介して分針が固定され、筒かなには日の裏車を介して筒車（不図示）が接続され、この筒車に時針が固定されている。
なお、各車５〜９およびローター２１は、輪列受や二番受と地板２とによって軸支されている。
【００２４】
発電機２０は、ローター２１およびコイルブロック２２，２３から構成されている。ローター２１は、図示しないローター磁石や、ローターかな２１ａ、ローター慣性円板２１ｂを備えている。このうち、ローター慣性円板２１ｂは、香箱車１からの駆動トルク変動に対しローター２１の回転速度変動を少なくするためのものである。コイルブロック２２，２３は、それぞれステータ（コア、磁心）２４にコイル２５を巻線して構成されたものである。各ステータ２４は、ローター２１に隣接して配置されるコアステーター部２４ａと、コイル２５が巻回されるコア巻線部２４ｂと、互いに連結されるコア磁気導通部２４ｃとが一体に形成されて構成されている。
【００２５】
以上の電子制御式機械時計では、発電機２０からの交流出力は、昇圧整流、全波整流、半波整流、トランジスター整流等からなる整流回路を通して昇圧、整流されて平滑用コンデンサーに充電され、このコンデンサーからの電力で発電機２０の回転を制御する図示しない回転制御回路を作動させている。回転制御回路としては、発振回路、分周回路、回転検出回路、回転数比較回路、電磁ブレーキ制御手段等を含む集積回路（ＩＣ）によって構成され、発振回路には水晶振動子が用いられる。このような回転制御回路によって、発電機２０のコイル２５に流れる電流値等を制御したり、ショートブレーキを掛けたりすることで、輪列（ローター２１）の回転速度、つまり指針（秒針、分針、時針）の運針が正確に駆動されるようになっている。
【００２６】
次に、香箱車１、第１角穴車３、および第２角穴車４を備えて構成される本発明のぜんまい装置１０について、図２〜６に基づいて詳しく説明する。
ここで、図３、４は、それぞれぜんまい装置１０を示す側面図、および斜視図である。図５は、ぜんまい装置１０の平面図であり、図６は、第２角穴車４を示す断面図である。
【００２７】
ぜんまい装置１０において、第２角穴車４は、香箱真１ｃに回転不能に固定される支持部４ａと、この支持部４ａに軸支される回動部４ｂとを有して構成されている。支持部４ａは、中央に角穴を有した円盤状に形成され、その外周面には、直径方向に突出した２本の突起４ｃが設けられている。また、回動部４ｂは、外周に歯形４ｅを有する全体略リング状に形成され、その内部に支持部４ａの円盤状部分が挿入されることで、支持部４ａに回動可能に支持されている。そして、回動部４ｂの内部には、支持部４ａの突起４ｃに対応して２つの凹み部４ｄが設けられており、この凹み部４ｄに突起４ｃが所定のガタ分だけ余裕をもって挿入されている。
【００２８】
すなわち、回動部４ｂの凹み部４ｄは、図５、６に示すように、平面視で略扇形に形成され、香箱真１ｃの軸回りに関する幅寸法が、支持部４ａの突起４ｃの幅寸法よりも大きく設定されている。具体的には、突起４ｃが凹み部４ｄ内で香箱真１ｃの軸回りに移動可能で、香箱真１ｃおよび支持部４ａと、回動部４ｂとが１０°〜３０°だけ相対回転できる程度のガタが設けられている。そして、手動巻き上げ機構３０および第１角穴車３を介して香箱真１ｃが巻き上げ方向に回転されると、突起４ｃが凹み部４ｄ内部の一方側面に当接して、第２角穴車４が図５の矢印の方向に回転し、ぜんまい１ａが巻き上げられるようになっている。
【００２９】
また、巻き上げ操作を中止すると、逆回転防止機構４０により第２角穴車４の回動部４ｂの回転が停止されるとともに、ぜんまい１ａがほどける力により突起４ｃが凹み部４ｄ内部の他方側面に当接するまで、支持部４ａおよび香箱真１ｃが巻き上げ方向と逆方向に巻き戻される。この香箱真１ｃの巻き戻りは、第１角穴車３および手動巻き上げ機構３０を介して竜頭に伝達され、竜頭の巻き戻り感を指先で感じることができるようになっている。
【００３０】
逆回転防止機構４０は、第２角穴車４を巻き上げ方向への一方方向のみに回転させる機能を有しており、図示しない受け材を介して地板２に取り付けられた板ばね（リーフスプリング）４１と、この板ばね４１の途中位置に固定され、かつ第２角穴車４の歯形４ｅに係合可能な係合部材としての係合ピン４２と、地板２に取り付けられ、かつ板ばね４１の先端が当接する当接部材４３とを有して構成されている。
板ばね４１は、第２角穴車４の外周近傍位置を跨いで配置された棒状の部材であって、その基端部（図５の上部）がねじ４４で地板２に固定されている。また、板ばね４１の基端部には、位置決めピン４５が挿通されており、基端部の回転が規制されている。そして、板ばね４１は基端部を支点として、図５の二点鎖線で示すように、先端側が自らの弾性力により第２角穴車４側に付勢されて当接部材４３に当接した状態と、図５の実線で示すように、第２角穴車４から離れる外側に撓んだ状態との間を回動可能になっている。
【００３１】
係合ピン４２は、板ばね４１の撓みに伴って、第２角穴車４の歯形４ｅ間に対して進退可能に構成され、係合ピン４２が第２角穴車４側に移動して歯形４ｅに係合することで、第２角穴車４の巻き上げ方向と逆方向への回転が規制されるようになっている。また、係合ピン４２は、図５に点線および一点鎖線で示すように、巻き上げ方向へ回転する第２角穴車４の歯形４ｅに対して摺動し、外側に移動しやすいように傾斜面等を有した断面形状になっている。
従って、ぜんまい１ａの巻き上げ時に香箱真１ｃを介して第２角穴車４が巻き上げ方向へ回転された場合には、歯形４ｅが板ばね４１の付勢力に抗して係合ピン４２を外側に押すことで、板ばね４１が撓んで、係合ピン４２と歯形４ｅとの係合が外れる。そして、１つの歯形４ｅを通過すれば、板ばね４１の弾性力により係合ピン４２は、第２角穴車４側に移動し、次の歯形４ｅに係合することになる。このような動作を繰り返すことで逆回転防止機構４０では、第２角穴車４がぜんまい１ａの巻き上げ方向のみに回転し、逆回転しないようになっている。
【００３２】
さらに、板ばね４１の先端部と当接部材４３とには、互いに当接する当接面４１ａ，４３ａが設けられている。そして、ぜんまい１ａの巻き上げ時に板ばね４１が撓んで回動し、板ばね４１自身の弾性力によって第２角穴車４に向かって戻る際に、当接面４１ａ，４３ａ同士が繰り返し当接することで、連続的な当接音が発せられるようになっている。この当接音は、板ばね４１の長さ寸法や、径寸法、材質、剛性等の設定によって調節可能である。本実施形態において板ばね４１は、リン青銅等のばね性に優れた材料から形成され、香箱車１の直径と略同一、もしくは香箱車１の直径よりも若干長い長さ寸法を有し、基端部から先端部に向かって、段階的に太くなる径寸法を有している。
【００３３】
以上のような板ばね４１によれば、従来のこはぜと比較して十分に長い長さ寸法を有していることで、大きな当接音が発せられるようになっている。さらに、板ばね４１の長さ方向に径寸法を変更したり、材質を変更したりすることで、剛性が設定可能になっているため、当接音の音色が調整可能になっている。すなわち、板ばね４１の基端側の径寸法を小さくして、先端側の径寸法を大きくすれば、板ばね４１の剛性が低下し、質量が大きいために、比較的低音（振動数が低い）の当接音が発せられ、板ばね４１の材質を硬くして剛性を高めれば、高音（振動数が高い）の当接音が発せられるようになる。
【００３４】
また、第２角穴車４の歯形４ｅのピッチを変更することで、当接音の間隔が調整できるようになっている。すなわち、第２角穴車４の歯形４ｅのピッチを細かく、つまり歯形４ｅの数を周長に対して多くすれば、当接音の間隔が短くなり、また、第２角穴車４の歯形４ｅのピッチを粗く、つまり歯形４ｅの数を周長に対して少なくすれば、当接音の間隔が長くなる。この際、本実施形態の第２角穴車４は、手動巻き上げ機構３０に接続されておらず、その歯形４ｅのピッチは、所望する巻き上げ音に応じて、適宜設定可能になっている。
【００３５】
さらに、本実施形態の逆回転防止機構４０は、１つに限らず、図７に示すように、複数設けられていてもよい。
図７において、本実施形態の変形例に係るぜんまい装置１０Ａでは、香箱車１の周方向に沿って３つの逆回転防止機構４０が設けられている。このような逆回転防止機構４０において、ぜんまい１ａ巻き上げ時の第２角穴車４の回転に連動して、３つの板ばね４１が同時に、または各々異なるタイミングで回動するようになっている。この際、各逆回転防止機構４０の板ばね４１は、同一の音色の当接音を発するように構成されていてもよく、また各板ばね４１の剛性を各々異なる設定にして、各逆回転防止機構４０から異なる音色の当接音が発せられるようにしてもよい。
このようなぜんまい装置１０Ａによれば、より大きな当接音が発せられる、あるいは単音に限らず、複数音色から構成された当接音が発せられるようになる。
【００３６】
以上の逆回転防止機構４０は、香箱車１を挟んで地板２の反対側である時計の裏蓋側に設けられている。図示を省略するが、通常裏蓋は、ぜんまい装置１０，１０Ａや、輪列（各車５〜９）、発電機２０との間に間隔を有して時計のケースに取り付けられている。そして、本実施形態における裏蓋の内側面には、切削加工等によって凹凸が形成されている。従って、上述のように逆回転防止機構４０の板ばね４１および当接部材４３の当接によって発せられた当接音は、裏蓋内側面の凹凸で反射され、時計のケース内に反響するようになっている。
【００３７】
また、本発明の時計は、図８に示すように、外側からケース１００の内部が見えるシースルーの裏蓋１０１を有して構成されていてもよい。この裏蓋１０１は、金属製で環状の枠材１０２と、この枠材１０２の内部に嵌め込まれた透明材料としてのサファイアガラス１０３とを有して構成されている。裏蓋１０１は、枠材１０２の４箇所を介してケース１００にねじ止めされている。そして、サファイアガラス１０３を介して、外側からぜんまい装置１０の逆回転防止機構４０が視認できるようになっている。
【００３８】
このような本実施形態によれば、以下のような効果がある。
(１) ぜんまい１ａを手動で巻き上げる際に、第２角穴車４の回転に連動して、逆回転防止機構４０の係合ピン４２および板ばね４１が第２角穴車４に対して進退移動して、板ばね４１先端の当接面４１ａが当接部材４３の当接面４３ａに繰り返し当接することで、巻き上げ音（当接音）が発生する。この巻き上げ音の大きさや音色等を、板ばね４１や当接部材４３の材質や、大きさ、剛性等の設定により調整することで、手動によるぜんまい１ａの巻き上げ時において、高級感のある良好な巻き上げ音を得ることができる。
【００３９】
(２) 板ばね４１と係合ピン４２を有して逆回転防止機構４０が構成されているので、簡単な構造で第２角穴車４の逆回転を規制することができ、ぜんまい装置１０，１０Ａの小型化および低コスト化を促進できる。また、第２角穴車４の歯形４ｅに係合する係合ピン４２が、第２角穴車４に対して進退可能に、かつ第２角穴車４に向かって付勢されているので、ぜんまい１ａ巻き上げ時の第２角穴車４の回転に連動して係合ピン４２が進退動作し、確実に第２角穴車４の逆回転を防止することができる。
【００４０】
(３) 第１角穴車３と第２角穴車４とが香箱車１を挟んで対向しているので、第１角穴車３に接続される手動巻き上げ機構３０と、第２角穴車４に接続される逆回転防止機構４０とが干渉することなく、装置レイアウトを整然としたものにできるとともに、ぜんまい装置１０，１０Ａの組立性を向上させることができる。さらに、第２角穴車４が裏蓋側に配置されているので、香箱車１を地板２に組み込んだ後に第２角穴車４や逆回転防止機構４０を組み込むことができ、組立性を一層向上させることができる。
【００４１】
(４) さらに、逆回転防止機構４０が裏蓋側に配置されているので、裏蓋との間に形成された空間内に巻き上げ音が反響し、高級感のある巻き上げ音を得ることができる。そして、裏蓋の内側面に凹凸を設ければ、この凹凸によって巻き上げ音が反響することで、より高級感のある巻き上げ音を得ることができる。
【００４２】
(５) また、図８に示すように、透明なサファイアガラス１０３を有して裏蓋１０１が構成されていれば、裏蓋１０１を通してケース１００内部の香箱車１や逆回転防止機構等４０が視認可能なので、巻き上げ時の各部の動作を確認でき、より一層高級感を向上させることができる。
【００４３】
(６) さらに、図７に示すように、複数の逆回転防止機構４０が設けられていれば、より大きな巻き上げ音を得ることができるとともに、各々の逆回転防止機構４０から異なる音色の当接音が発するようにすれば、複数音色から構成された奥行き感のある巻き上げ音を得ることができ、さらに高級感を向上させることができる。
【００４４】
(７) 第２角穴車４が支持部４ａおよび回動部４ｂから構成され、これらの突起４ｃと凹み部４ｄとの間に１０°〜３０°のガタが設けられているので、手動によるぜんまい１ａの巻き上げ完了時において、香箱真１ｃが巻き上げ方向と逆向きにガタ分だけ巻き戻され、この香箱真１ｃの巻き戻りが、手動巻き上げ機構３０を介して竜頭および指先に伝達され、良好な巻き上げ感を得ることができる。
【００４５】
なお、本発明は前述の実施形態に限定されるものではなく、本発明の目的を達成できる範囲での変形、改良等は本発明に含まれるものである。
例えば、本発明は、電子制御式機械時計に限らず、がんぎ車、アンクル、てんぷ等を備える機械式時計に適用してもよい。
【００４６】
また、前記実施形態では、第２角穴車４に逆回転防止機構４０を接続したが、これに限らず、第２角穴車４は省略可能であり、第２角穴車４を省略した場合には、前記実施形態の第１角穴車３と同様の構成を有した角穴車に逆回転防止機構４０を接続してもよい。この際、逆回転防止機構４０が接続される角穴車を、香箱車１を挟んで地板の反対側（裏蓋側）に配置することが好ましい。このようにすれば、裏蓋との間に形成される空間に巻き上げ音が反響して、高級感のある良好な巻き上げ音が得られる。
【００４７】
また、前記実施形態では、逆回転防止機構４０の係合ピン４２を支持する支持部材を板ばね４１で構成したが、これに限らず、剛な部材から支持部材を構成してもよい。この際、支持部材の先端部を角穴車に向かって付勢する弾性部材を別途用意して、支持部材に連結するような構成が採用できる。このように支持部材を付勢する弾性部材としては、例えば、軸支された支持部材の基端部に連結されるねじりコイルばね、支持部材の途中位置を押圧するコイルばね、板ばね等が採用可能である。また、支持部材を剛な部材から構成した場合においても、当接部材の材質や大きさ等を適宜設定することで、巻き上げ音の大きさや音色が調節でき、良好な巻き上げ音を得ることができる。
【００４８】
また、逆回転防止機構４０を木製の箱に収容してもよい。このようにすれば、当接音が木製の箱の内部に反響することで、当接音のうち高振動数部分の耳障りなノイズをカットしてやわらかい音にすることができ、より一層高級感のある巻き上げ音を得ることができる。
【図面の簡単な説明】
【００４９】
【図１】本発明の一実施形態に係るぜんまい装置を備えた電子制御式機械時計の概略を示す平面図である。
【図２】前記電子制御式機械時計の要部の断面図である。
【図３】前記ぜんまい装置を示す側面図である。
【図４】前記ぜんまい装置を示す斜視図である。
【図５】前記ぜんまい装置を示す平面図である。
【図６】前記ぜんまい装置の第２角穴車を示す断面図である。
【図７】前記実施形態の変形例に係るぜんまい装置を示す平面図である。
【図８】本発明の時計を裏側から見た平面図である。
【符号の説明】
【００５０】
１…香箱車、１ａ…ぜんまい、１ｂ…香箱歯車、１ｃ…香箱真、２…地板、３…第１角穴車、４…第２角穴車、４ｅ…歯形、４ｆ…つめ、５〜９…輪列、１０，１０Ａ…ぜんまい装置、２０…発電機、３０…手動巻き上げ機構、３１…巻真、４０…逆回転防止機構、４１…板ばね（支持部材）、４２…係合ピン（係合部材）、４３…当接部材、１０１…裏蓋、１０３…サファイアガラス。
【図１】
2005156304.tif 000003
【図２】
2005156304.tif 000004
【図３】
2005156304.tif 000005
【図４】
2005156304.tif 000006
【図５】
2005156304.tif 000007
【図６】
2005156304.tif 000008
【図７】
2005156304.tif 000009
【図８】
2005156304.tif 000010